(57)【要約】【課題】高い施工性とトンネルの水密性を両立可能なアーチ鉄筋の組立方法を提供すること。【解決手段】本発明のアーチ鉄筋の組立方法は、並列配置した複数の段取主筋１１を複数の段取配力筋１２で連結してなる分割アーチ枠１０ａを、トンネル内壁の両下端部から上方へ組み上げる、第一枠組工程と、２つの分割アーチ枠１０ａをトンネル頂部で連結してアーチ枠部材１０を構成する、第二枠組工程と、アーチ枠部材１０の外周側に複数の支圧部材３０を付設する、付設工程と、トンネル軸方向に沿って並列配置した複数のアーチ枠部材１０を複数の連結部材２０で連結して支保構造体１を構築する、連結工程と、支保構造体１の内側に主筋Ａ１と配力筋Ａ２を配筋してアーチ鉄筋Ａを構築する、配筋工程と、を備え、複数の支圧部材３０でトンネル内壁を支圧することによって支保構造体１のアーチ形状を補正可能に構成したことを特徴とする。【選択図】図１
2020193475.tif 000002
【特許請求の範囲】
【請求項１】
トンネルの覆工に係るアーチ鉄筋の組立方法であって、
並列配置した複数の段取主筋を複数の段取配力筋で連結してなる分割アーチ枠を、トンネル内壁の両下端部から上方へ組み上げる、第一枠組工程と、
２つの前記分割アーチ枠をトンネル頂部で連結してアーチ枠部材を構成する、第二枠組工程と、
前記アーチ枠部材の外周側に複数の支圧部材を付設する、付設工程と、
トンネル軸方向に沿って並列配置した複数の前記アーチ枠部材を複数の連結部材で連結して支保構造体を構築する、連結工程と、
前記支保構造体の内側に主筋と配力筋を配筋してアーチ鉄筋を構築する、配筋工程と、を備え、
前記複数の支圧部材でトンネル内壁を支圧することによって前記支保構造体のアーチ形状を補正可能に構成したことを特徴とする、
アーチ鉄筋の組立方法。
【請求項２】
インバートコンクリートの両側から上方に突起した複数のインバート差し筋を有し、前記第一枠組工程より以前に、前記複数のインバート差し筋同士を根固め筋で相互に連結するインバート根固め工程を備え、前記第一枠組工程において、前記段取主筋の下部を前記インバート差し筋に連結することを特徴とする、請求項１に記載のアーチ鉄筋の組立方法。
【請求項３】
前記支圧部材は、面状の支圧部と、前記支圧部の背面から突起する棒状部と、前記段取主筋又は前記段取配力筋を前記棒状部上の任意の位置に固定可能な固定部と、を有することを特徴とする、請求項１又は２に記載のアーチ鉄筋の組立方法。
【請求項４】
前記支保構造体の吹付コンクリート面への押し出し変形位置を、フレーム解析によって特定し、前記複数の支圧部材の内少なくとも一部を前記押し出し変形位置に設置したことを特徴とする、請求項１乃至３のいずれか一項に記載のアーチ鉄筋の組立方法。
【発明の詳細な説明】
【技術分野】
【０００１】
本発明はトンネルの覆工に係るアーチ鉄筋の組立方法に関し、高い施工性とトンネルの水密性を両立可能なアーチ鉄筋の組立方法に関する。
【背景技術】
【０００２】
山岳トンネル工事では、トンネルの水密性を確保するために、吹き付けコンクリート施工後のトンネル内壁に防水シートを敷設するシート防水工が多用されている。
防水シートの内側に覆工用のアーチ鉄筋を配筋するための従来技術には、（１）防水シートの内部にアーチ型の鋼製支保工を配置してアーチ鉄筋を支持する方法、（２）防水シート越しに吹付コンクリートからアーチ鉄筋を吊る方法、がある。また（２）の方法は更に、（２ａ）吹付コンクリートに打設したアンカーを防水シートに貫通させ、貫通孔を止水ゴムで挟んで塞ぐアンカー方式、（２ｂ）吊り具を防水シート越しにコンクリート釘で固定するコンクリート釘方式、（２ｃ）防水シートをクリップ型の吊り具で挟み込んで固定するクリップ方式等を含む。
【先行技術文献】
【特許文献】
【０００３】
【特許文献１】特開平８−３３８１９９号公報
【特許文献２】特開平９−４３９４号公報
【特許文献３】特開２００６−２９１６８６号公報
【特許文献４】特開２００６−１７６９５４号公報
【非特許文献】
【０００４】
【非特許文献１】トンネル標準示方書・同解説（土木学会トンネル工学委員会：平成２８年８月）
【発明の概要】
【発明が解決しようとする課題】
【０００５】
従来技術には以下の問題点がある。
＜１＞鋼製支保工による支持方式は、鋼材の搬送や据え付けに大型の重機が必要となるため、施工性が低く施工コストが嵩む。また、重機による据え付け作業は坑内を幅広く占有するため、工事車両の通行を妨げてズリ出し等の他の作業に遅延を及ぼす。
＜２＞鋼製支保工による支持方式は、支保工の側面が覆工コンクリートのトンネル軸方向への流動を阻害するため、覆工の施工性を悪化させる。
＜３＞アンカー方式やコンクリート釘方式は、防水シートにアンカーや釘を貫通させるため、貫通孔からの浸水により水密性を損なうおそれがある。
＜４＞クリップ方式は、クリップの挟持部によって防水シートに損傷を与えるおそれがある。特に覆工コンクリートの打設時には、覆工コンクリートの重量で下方に引き込まれることで、防水シートが挟持部の角で破れるおそれがある。
＜５＞以上を小括すると、支保工支持方式は防水シートの水密性を確保できる一方、施工が大掛かりになり施工性と施工コストに劣り、アンカー等による吊り下げ方式は比較的簡易に施工できる一方、防水シートの水密性を損なうおそれがある。すなわち従来技術は、施工性と防水シートの水密性を両立することができない。
【０００６】
本発明の目的は、以上のような従来技術の課題を解決可能なアーチ鉄筋の組立方法を提供することにある。
【課題を解決するための手段】
【０００７】
本発明のアーチ鉄筋の組立方法は、分割アーチ枠を組み上げる第一枠組工程と、２つの分割アーチ枠を連結してアーチ枠部材を構成する第二枠組工程と、アーチ枠部材の外周側に支圧部材を付設する付設工程と、複数のアーチ枠部材を連結して支保構造体を構築する連結工程と、支保構造体の内側にアーチ鉄筋を構築する配筋工程とを備え、支圧部材によって支保構造体のアーチ形状を補正可能に構成したことを特徴とする。
【０００８】
本発明のアーチ鉄筋の組立方法は、第一枠組工程より以前に、インバート差し筋同士を根固め筋で相互に連結するインバート根固め工程を備えていてもよい。
【０００９】
本発明のアーチ鉄筋の組立方法は、支圧部材が支圧部と棒状部と固定部とを有していてもよい。
【００１０】
本発明のアーチ鉄筋の組立方法は、支保構造体の押し出し変形位置をフレーム解析によって特定し、支圧部材の少なくとも一部を押し出し変形位置に設置してもよい。
【発明の効果】
【００１１】
以上の構成より、本発明のアーチ鉄筋の組立方法は次の効果の少なくともひとつを備える。
＜１＞トンネル内壁に沿って鉄筋を組み上げるだけで、アーチ鉄筋を支持する支保構造体を構築できるため、施工性が高く施工コストが低廉である。
＜２＞防水シートに孔を空けない非貫通方式であるため、高い水密性を維持できる。
＜３＞足場さえ確保できれば支保構造体の組立自体は手作業で施工できるため、大型の重機を必要とせず、小さな作業スペースで施工することができる。このため、限られた坑内空間を有効に利用できるとともに、工事車両の通行を止めずに施工することができる。
＜４＞支保構造体が鉄筋による線状構造であるため、覆工コンクリートの流動を阻害しにくい。
＜５＞２つの分割アーチ枠をトンネル頂部で連結することで、風管等の仮設設備を回避して支保構造体を組み立てることができる。また、アーチ枠部材の地組みが不要であるため、狭隘な坑内空間を有効利用することができる。
＜６＞以上の通り本発明のアーチ鉄筋の組立方法は、高い施工性と水密性を両立することができる。
【図面の簡単な説明】
【００１２】
【図１】本発明の支保構造体の説明図。
【図２Ａ】本発明のアーチ鉄筋の組立方法の説明図（１）。
【図２Ｂ】本発明のアーチ鉄筋の組立方法の説明図（２）。
【図２Ｃ】本発明のアーチ鉄筋の組立方法の説明図（３）。
【図２Ｄ】本発明のアーチ鉄筋の組立方法の説明図（４）。
【図２Ｅ】本発明のアーチ鉄筋の組立方法の説明図（５）。
【図２Ｆ】本発明のアーチ鉄筋の組立方法の説明図（６）。
【図２Ｇ】本発明のアーチ鉄筋の組立方法の説明図（７）。
【図３】支圧部材の説明図。
【図４Ａ】支圧部材によるアーチ形状の補正の説明図（１）。
【図４Ｂ】支圧部材によるアーチ形状の補正の説明図（２）。
【発明を実施するための形態】
【００１３】
以下、図面を参照しながら本発明のアーチ鉄筋の組立方法について詳細に説明する。
なお、本願発明の説明における「上下」「左右」等の各方位は、トンネル断面視における各方位、すなわち図１における各方位を意味する。トンネルの「内側」とは、トンネル断面視における中心方向を、「外側」とはその反対方向を意味する。また「吹付コンクリート面」とは吹付コンクリート面上に敷設した防水シートを含めた意味で使用する。
【実施例１】
【００１４】
[アーチ鉄筋の組立方法]
＜１＞全体の構成。
本発明のアーチ鉄筋の組立方法は、トンネルの吹付コンクリートの内側に、覆工用のアーチ鉄筋Ａを配筋するための施工方法である。
ここで、アーチ鉄筋Ａは、トンネル周方向に配設する複数のアーチ状の主筋Ａ１を、トンネル軸方向に配設する複数の配力筋Ａ２で連結してなる（図２Ｇ）。アーチ鉄筋Ａの構造は公知なのでここでは詳述しない。
本発明のアーチ鉄筋の組立方法は、吹付コンクリートの内側にアーチ状の支保構造体１を構築し、支保構造体１で支持しつつ、その内側にアーチ鉄筋Ａを組み立てる点に一つの特徴を有する。
本発明のアーチ鉄筋の組立方法は、第一枠組工程と、第二枠組工程と、付設工程と、連結工程と、配筋工程と、を少なくとも備え、これを１施工サイクルとして、トンネル坑口側から切羽側へ向けて１スパンごとに施工してゆく。また、本例では、第一枠組工程より以前にさらにインバート根固め工程を備える。
【００１５】
＜２＞支保構造体（図１）。
アーチ鉄筋の組立方向の説明に先立ち、アーチ鉄筋Ａを支保する支保構造体１の構造について説明する。
支保構造体１は、鉄筋を組んでなるアーチ状の支保構造である。
支保構造体１は、複数のアーチ枠部材１０と、複数のアーチ枠部材１０をトンネル軸方向に連結する複数の連結部材２０と、アーチ枠部材１０と吹付コンクリート面の間に配設する複数の支圧部材３０と、からなる。
本例ではさらに、インバートコンクリート内から上方に突起する複数のインバート差し筋４０と、インバート差し筋４０同士を連結する根固め筋５０と、を有し、アーチ枠部材１０の下端部をインバート差し筋４０と連結する。
支保構造体１は、覆工コンクリートの打設時には、アーチ鉄筋Ａを支保した状態で型枠内に残置され、覆工内に一体に埋め込まれる。
【００１６】
＜２．１＞アーチ枠部材。
アーチ枠部材１０は、アーチ鉄筋Ａの荷重を支持するアーチ状の構成要素である。
アーチ枠部材１０は、トンネル両側から立ち上げた梯子状の分割アーチ枠１０ａをトンネル頂部で連結してなり、全体構造としては、複数の段取主筋１１と、複数の段取配力筋１２と、複数の連結具１３と、を有する。
段取主筋１１は、緩やかに湾曲した鉄筋からなり、複数の段取主筋１１を長手方向に連結することで、全体で吹付コンクリート面に対応した曲率のアーチ構造を構成する。
段取配力筋１２は、トンネル軸方向に延在する直線状の鉄筋からなり、並列した２本の段取主筋１１の間に平行に掛け渡す。
連結具１３は、段取主筋１１と段取配力筋１２を直交した状態で連結する部材である。この他、段取主筋１１とインバート差し筋４０の連結や、段取主筋１１と後述する連結配力筋２１の連結等にも使用する。
連結具１３には、例えば直交した溝を有する２枚のプレートとボルトの組み合わせ（直交タイプ）や、Ｕ字ボルトと固定プレートの組み合わせ（重ね継手タイプ）、カプラーなどがある。
【００１７】
＜２．２＞連結部材（図３）。
連結部材２０は、複数のアーチ枠部材１０を相互に連結するとともに、アーチ鉄筋Ａを固定するための構成要素である。
連結部材２０は、トンネル軸方向に延在する連結配力筋２１と、連結配力筋２１の内側にこれと平行して延在する主筋取付筋２２と、を有する。
本例では、連結配力筋２１を連結具１３によって段取主筋１１と直交した状態で連結し、主筋取付筋２２を後述する支圧部材３０の棒状部３２と連結する。
【００１８】
＜２．３＞支圧部材（図３）。
支圧部材３０は、アーチ枠部材１０の撓みを補正して形状を保持する機能と、アーチ鉄筋Ａの取付位置を規定するスペーサ機能を兼備する構成要素である。
支圧部材３０は、吹付コンクリート面と段取主筋１１の間の適宜の箇所に付設する。
支圧部材３０は、面状の支圧部３１と、支圧部３１の背面から突出する棒状部３２と、棒状部３２に付設した固定部３３と、を有する。
固定部３３は、棒状部３２上の任意の位置に段取主筋１１等を固定するための部材である。固定部３３の固定位置を調整することによって、吹付コンクリート面と段取主筋１１等との間隔を任意に設定することができる。
本例では、支圧部３１として背面にナットを溶着した矩形の鋼製プレートを、棒状部３２として支圧部３１のナットに螺着したネジ鋼棒を、固定部３３として固定ボルトの螺回によって棒状部３２上の任意の高さに固定可能な固定金具を、それぞれ採用する。ただし、支圧部材３０の構成はこれに限られず、例えば支圧部３１は円形プレートであってもよい。
また棒状部３２の先端には、連結手段３４によって主筋取付筋２２を固定する。本例では連結手段３４として鉄筋結束線を採用する。
【００１９】
＜２．４＞インバート差し筋、根固め筋。
インバート差し筋４０は、アーチ枠部材１０の下端部をインバートコンクリートに連結する構成要素である。
インバートコンクリート内に複数のインバート差し筋４０を配置し、先端をインバートコンクリートの上面から上方に突起させておく。インバート差し筋４０は、段取主筋１１間の間隔に合わせてトンネル軸方向に沿って並列配置する。
根固め筋５０は、インバート差し筋４０同士を連結する構成要素である。
根固め筋５０は、トンネル軸方向に延在する直線状の鉄筋からなり、並列した複数のインバート差し筋４０間に掛け渡す。
【００２０】
＜３＞インバート根固め工程。
インバート根固め工程は、分割アーチ枠１０ａの根固めを行う工程である。
インバートコンクリートの両側に並列する複数のインバート差し筋４０の間に、トンネル軸方向に根固め筋５０を掛け渡し、両者の交点を連結具１３で剛結する。
本発明のアーチ鉄筋の組立方法は、後続する第一枠組工程で、分割アーチ枠１０ａをトンネル中央側へ片持ちした状態で組み上げてゆくため、自重によって分割アーチ枠１０ａが傾斜したりブレが生じるおそれがある。このため、事前にインバート差し筋４０同士を連結して確実に根固めしておくことで、傾斜やブレを軽減して作業負担を軽減することが可能となる。
【００２１】
＜４＞第一枠組工程。
第一枠組工程は、トンネルの両側に分割アーチ枠１０ａを構築する工程である。
第一枠組工程では、まずインバート差し筋４０の上部に段取主筋１１を連結して下段の分割アーチ枠１０ａを構築し、続いて下段の分割アーチ枠１０ａの上方に段取主筋１１を継ぎ足してゆくことで、上段の分割アーチ枠１０ａを組み上げてゆく。
【００２２】
＜４．１＞段取主筋とインバート差し筋の連結（図２Ａ）。
２本の段取主筋１１の下部を、隣り合う２本のインバート差し筋４０の上部と連結具１３で連結する。
段取主筋１１とインバート差し筋４０の連結部には、分割アーチ枠１０ａの自重が集中する。そのため、段取主筋１１とインバート差し筋４０とは、ボルト式の連結具１３等を用いて堅固に連結することが望ましい。本例では、連結具１３としてＵ字ボルトとプレートを組み合わせた金具を採用し、段取主筋１１とインバート差し筋４０とを平行に重ね合わせた状態で上下二箇所で剛結する。
続いて、並列した２本の段取主筋１１の間に複数の段取配力筋１２を掛け渡し、複数の連結具１３によって梯子状に連結する。
以上では、段取主筋１１とインバート差し筋４０とを先に連結してから梯子構造を構築したが、予め梯子構造を地組みした後に、段取主筋１１とインバート差し筋４０を連結する手順であってもよい。
【００２３】
＜４．２＞分割アーチ枠の組み立て（図２Ｂ）。
下段の段取主筋１１の先端に上段の段取主筋１１を継ぎ足して連結する。
詳細には、上段の段取主筋１１の湾曲する向きをトンネル中央方向に合わせ、下段の段取主筋１１の上端部と、上段の段取主筋１１の下端部とを平行に重ね合わせて、両者を連結具１３で剛結する。
２本の段取主筋１１を継ぎ足したら、段取主筋１１の間に複数の段取配力筋１２を掛け渡して連結具１３によって梯子状に連結する。この他、予め梯子構造を地組みした後に、下段の段取主筋１１と上段の段取主筋１１とを連結する手順であってもよい。
以上の工程を、段取主筋１１の分割数に応じて繰り返し、トンネル両側に２つの分割アーチ枠１０ａを構築する。
なお、分割アーチ枠１０ａは、自重によりトンネル中央方向に傾斜することがある。この場合には一時的にサポートパイプ等によって下方から支持してもよい。
【００２４】
＜５＞第二枠組工程（図２Ｃ）。
第二枠組工程は、２つの分割アーチ枠１０ａをトンネル頂部で連結してアーチ枠部材１０を構築する工程である。
対向する２つの分割アーチ枠１０ａの間に段取主筋１１を掛け渡し、連結具１３を介して両者を連結する。段取主筋１１の間には適宜の間隔で段取配力筋１２を配設する。
自然換気が不十分になるトンネル工事では、法令上、送風機を用いた強制換気が求められている（労働安全衛生規則第６０２条）。このため、トンネルの頂部中央付近には換気用の風管Ｗなどの仮設設備が配置されている。
従って、予めアーチ枠部材１０をアーチ形状に地組みすると、仮設設備に干渉するため、アーチ枠部材１０を立設することができなくなる。また、地組みの際に路面の広い面積を占有するため、工事車両の通行を妨げて他の工程に支障をきたす。
以上の不都合を解消するため、本発明のアーチ鉄筋の組立方法は、アーチ枠部材１０の構築を、２つの分割アーチ枠１０ａをトンネルの両下端部から上方に組み上げる第一枠組工程と、２つの分割アーチ枠１０ａを頂部で連結する第二枠組工程との二段階で行う。
これによって、アーチ枠部材１０が仮設設備に干渉するのを避けるとともに、アーチ枠部材１０の地組みを不要とすることで、狭隘な坑内空間を有効利用して工事車両の通行を確保することが可能となる。
【００２５】
＜６＞付設工程（図２Ｄ）。
付設工程は、アーチ枠部材１０に支圧部材３０を付設する工程である。
段取主筋１１と吹付コンクリート面の間に支圧部材３０を配置し、支圧部３１を吹付コンクリート面に接面させる。
固定部３３を段取主筋１１の外側に当接させ、段取主筋１１をアーチ内側方向に押し付けた状態で固定部３３の固定ボルトを螺回して、固定部３３を棒状部３２上に固定する（図３）。
同様の作業を繰り返し、全ての支圧部材３０を段取主筋１１に付設する。
支圧部材３０の付設場所は任意に設定できるが、少なくとも段取主筋１１の頂部、肩部、側部には付設することが望ましい。
アーチ枠部材１０の外周に支圧部材３０を付設することによって、アーチ枠部材１０が複数の支圧部材３０によってアーチ内側方向に支圧した状態で支持される。
【００２６】
＜７＞工程の繰り返し（図２Ｅ）。
上述の＜４＞〜＜６＞の工程を繰り返して、トンネル軸方向に沿って１スパン所定数のアーチ枠部材１０を構築する。
【００２７】
＜８＞連結工程（図２Ｆ）。
連結工程は、複数のアーチ枠部材１０を連結部材２０で連結する工程である。
並列配置したアーチ枠部材１０の段取主筋１１の内側に、トンネル軸方向に連結配力筋２１を掛け渡し、連結具１３で一体に連結する。
本例では、段取主筋１１と支圧部材３０の交点付近に、連結配力筋２１を段取主筋１１と直交する向きに配置し、連結具１３を介して段取主筋１１に連結する（図３）。
同様にして、全てのアーチ枠部材１０の段取主筋１１をトンネル周方向に沿って適宜の間隔で連結する。
構造の一体性の観点からは、トンネル軸方向に並列する全てのアーチ枠部材１０を、トンネル周方向の各位置において１本の連結配力筋２１で連続して連結することが望ましい。但しこれに限らず、複数の連結配力筋２１を直線状又は千鳥状にトンネル軸方向に継ぎ足して連結してもよい。
続いて、連結配力筋２１の内側に平行して主筋取付筋２２を付設する。詳細には、支圧部材３０の棒状部３２の先端側に、連結手段３４の結束線によって主筋取付筋２２を固定する（図３）。
棒状部３２上における主筋取付筋２２の固定位置は、設計上の主筋Ａ１の配筋位置を考慮して設定する。望ましくは、予め棒状部３２に主筋取付筋２２の固定位置をマーキングしておく。これによって、支圧部材３０が主筋Ａ１の位置決めのためのスペーサとして機能する。
以上により支保構造体１が完成する。
【００２８】
＜９＞アーチ形状の補正。
支保構造体１は鉄筋の組み合わせによるアーチ構造からなるため、自重によってアーチ形状が扁平に撓む。
詳細には、鉄筋の自重によってアーチ枠部材１０の中央頂部が内側に沈下し、その反作用により肩部（押し出し変形位置Ｐ）が外側に押し上げられて、アーチ形状がトンネル幅方向に膨らむ（図４Ａ）。
アーチ形状が撓むと、中央頂部の支圧部材３０の支圧部３１が吹付コンクリート面から浮き上がることで、覆工時にアーチ鉄筋Ａの頂部が適切な被り厚を確保できなくなる。
そこで、押し出し変形位置Ｐの支圧部材３０の固定部３３を棒状部３２の先端側に押し上げ、段取主筋１１と吹付コンクリート面の間隔を広げることで、押し出し変形位置Ｐの段取主筋１１を内側に圧縮し、この反作用で段取主筋１１の中央頂部を上方に押し上げる（図４Ｂ）。
以上の作業によって、アーチ枠部材１０の撓みを補正することができる。
なお、アーチ形状の補正は＜８＞連結工程の前に、アーチ枠部材１０ごとに行ってもよい。
【００２９】
＜１０＞配筋工程（図２Ｇ）。
配筋工程は、支保構造体１の内側にアーチ鉄筋Ａを配筋する工程である。
主筋取付筋２２の内側にアーチ状の主筋Ａ１の外側を当接させて、結束線で固定する。
主筋取付筋２２は、支圧部材３０の棒状部３２における所定の位置に固定されているため、支圧部材３０を吹付コンクリート面に押し付けることで、主筋Ａ１と吹付コンクリート面との間隔が一定に固定され、ひいては主筋Ａ１が覆工内における適切な被り位置に配置される。
同様に主筋Ａ１をトンネル軸方向に沿って所定の間隔で固定する。
複数の主筋Ａ１を複数の配力筋Ａ２でトンネル軸方向に連結し、アーチ鉄筋Ａを構築する。
アーチ鉄筋Ａの配筋により、支保構造体１に係る荷重が増加し、アーチ形状が変形する可能性がある。この場合には、再度＜９＞の作業を繰り返すことによって、支保構造体１及びアーチ鉄筋Ａのアーチ形状を補正する。
本例では、予めアーチ鉄筋Ａをモデル化して、フレーム解析によって押し出し変形位置Ｐを特定し、少なくともアーチ枠部材１０上の押し出し変形位置Ｐに対応する位置に支圧部材３０を配設しておく。
【００３０】
＜１１＞その後の工程。
アーチ鉄筋Ａの内側に移動型枠を配置して、移動型枠と吹付コンクリート面との間に覆工コンクリートを打設する。これら後続する工程は公知なのでここでは詳述しない。
【符号の説明】
【００３１】
１      支保構造体
１０    アーチ枠部材
１０ａ  分割アーチ枠
１１    段取主筋
１２    段取配力筋
１３    連結具
２０    連結部材
２１    連結配力筋
２２    主筋取付筋
３０    支圧部材
３１    支圧部
３２    棒状部
３３    固定部
３４    連結手段
４０    インバート差し筋
５０    根固め筋
Ａ      アーチ鉄筋
Ａ１    主筋
Ａ２    配力筋
Ｐ      押し出し変形位置
Ｗ      風管
【図１】
2020193475.tif 000003
【図２Ａ】
2020193475.tif 000004
【図２Ｂ】
2020193475.tif 000005
【図２Ｃ】
2020193475.tif 000006
【図２Ｄ】
2020193475.tif 000007
【図２Ｅ】
2020193475.tif 000008
【図２Ｆ】
2020193475.tif 000009
【図２Ｇ】
2020193475.tif 000010
【図３】
2020193475.tif 000011
【図４Ａ】
2020193475.tif 000012
【図４Ｂ】
2020193475.tif 000013